(57)【要約】【課題】使用環境に応じて適切なフォントによる文字情報の表示を実現でき、文字が正確に表示されない表示異常を回避できる表示装置を提供する。【解決手段】通信回線を介してWeb  Fontサーバ３より取得した文字情報を表示する表示装置として機能する画像形成装置１であって、Web  Fontサーバ３の設置場所および選択言語に関する情報を取得する設置場所取得部１４３と、設置場所取得部１４３により取得したWeb  Fontサーバ３の設置場所に基づき、Web  Fontサーバ３より文字フォントを取得する拡張フォント取得部１４４と、Web  Fontサーバ３より取得した拡張フォント１５２を記憶する記憶部１５と、通信回線を介してWeb  Fontサーバ３より取得した文字情報を表示する際に、記憶部１５に記憶された拡張フォント１５２を用いて文字情報を表示するブラウザ表示部（表示制御部）１４１とを備えることを特徴とする。【選択図】図１
2013239927.tif 000002
【特許請求の範囲】
【請求項１】
通信回線を介して外部の関連装置より取得した文字情報を表示することができる表示装置であって、
前記関連装置の設置場所および選択言語に関する情報を取得する設置場所取得部と、
前記設置場所取得部により取得した前記関連装置の設置場所に基づき、前記関連装置より文字フォントを取得する文字フォント取得部と、
前記関連装置より取得した文字フォントを記憶する文字フォント記憶部と、
通信回線を介して前記関連装置より取得した文字情報を表示する際に、前記文字フォント記憶部に記憶された文字フォントを用いて文字情報を表示する表示制御部と、
を備えることを特徴とする表示装置。
【請求項２】
前記表示装置は、情報機器と接続されており、
前記設置場所取得部は、前記情報機器の環境設定にて登録されている場所情報を取得し、前記場所情報を前記情報機器の設置場所とすることを特徴とする請求項１に記載の表示装置。
【請求項３】
通信回線を介して外部の関連装置より取得したブラウザ画面を表示することができる表示装置であって、
前記ブラウザ画面の取得に用いたＵＲＬ情報を解析するＵＲＬ解析部と、
前記ＵＲＬ解析部による解析結果に基づきＵＲＬより地域情報を抽出する地域情報抽出部と、
前記地域情報抽出部により抽出された地域情報に基づき、前記関連装置より文字フォントを取得する文字フォント取得部と、
前記関連装置より取得した文字フォントを記憶する文字フォント記憶部と、
通信回線を介して前記関連装置より取得したブラウザ画面を表示する際に、前記文字フォント記憶部に記憶された文字フォントを用いてブラウザ画面を表示する表示制御部と、を備えることを特徴とする表示装置。
【発明の詳細な説明】
【技術分野】
【０００１】
本発明は、表示装置に係り、特に、ネットワーク等を介して外部から得られる情報に基づき文字情報を表示することができる表示装置に関する。
【背景技術】
【０００２】
従来、地域に応じたフォントデータを読み出す手段としては、ＧＰＳなどによる測位によって地域を特定して、その結果に応じてフォントをメモリから読み出すようにしたものが知られている。
【０００３】
従来技術として、例えば、移動通信が可能な携帯端末において、ＳＩＭカードに登録されているカード登録情報を読み出す読取手段と、複数の国や地域用の地域別パラメータを予め記憶している記憶手段と、本端末機を使用する国や地域を判別する判別手段と、判別した国や地域用の動作環境に設定する設定手段とを備えるとともに、自端末の現在位置を取得する位置取得手段を備えることで、携帯端末の使用者が使用を希望する国での動作設定を容易に選択して、適切なフォントにより使用することができるようにしたものが提案されている（特許文献１を参照）。
【先行技術文献】
【特許文献】
【０００４】
【特許文献１】特開２００７−１８９３９４号公報
【発明の概要】
【発明が解決しようとする課題】
【０００５】
しかしながら、特許文献１に記載の携帯端末では、現在位置を取得する測位手段（位置取得手段）を別途装置内に備える必要があるため、この手法を、例えば、室内等にて多く使用されるビジネス機器に用いる場合、外部からの電波を受信することが難しい場合が多く、測位を行うことが困難となり、必要なフォントデータを取得できずに、文字が正確に表示されない、いわゆる文字化けを起こしてしまうという問題があった。
【０００６】
本発明は、上記従来の問題点に鑑みてなされたものであって、使用環境に応じて適切なフォントによる文字情報の表示を実現でき、正しいフォントが無いことにより文字が正確に表示されない表示異常を回避できる表示装置を提供することを目的とする。
【課題を解決するための手段】
【０００７】
上述した課題を解決するための本発明に係る表示装置は、次の通りである。
【０００８】
本発明は、ネットワーク等の通信回線を介して外部の関連装置（例えば、外部の情報機器）より取得した文字情報を表示することができる表示装置であって、前記関連装置の設置場所および選択言語に関する情報を取得する設置場所取得部と、前記設置場所取得部により取得した前記関連装置の設置場所に基づき、前記関連装置（例えば、前記関連装置に具備されるフォント提供部）より文字フォントを取得する文字フォント取得部と、前記関連装置（例えば、前記関連装置に具備されるフォント提供部）より取得した文字フォントを記憶する文字フォント記憶部と、通信回線を介して前記関連装置より取得した文字情報を表示する際に、前記文字フォント記憶部に記憶された文字フォントを用いて文字情報を表示する表示制御部と、を備えることを特徴とするものである。
【０００９】
また、本発明は、前記表示装置が情報機器（例えば、パーソナルコンピュータ）と接続され、前記設置場所取得部により前記表示装置に接続されている情報機器の環境設定にて登録されている場所情報を取得し、前記場所情報を前記情報機器の設置場所とすることが好ましい。
【００１０】
また、本発明は、通信回線を介して外部の関連装置より取得したブラウザ画面を表示することができる表示装置であって、前記ブラウザ画面の取得に用いたＵＲＬ情報を解析するＵＲＬ解析部と、前記ＵＲＬ解析部による解析結果に基づきＵＲＬより地域情報を抽出する地域情報抽出部と、前記地域情報抽出部により抽出された地域情報に基づき、前記関連装置（例えば、前記関連装置に具備されるフォント提供部）より文字フォントを取得する文字フォント取得部と、前記関連装置（例えば、前記関連装置に具備されるフォント提供部）より取得した文字フォントを記憶する文字フォント記憶部と、通信回線を介して前記関連装置より取得したブラウザ画面を表示する際に、前記文字フォント記憶部に記憶された文字フォントを用いてブラウザ画面を表示する表示制御部と、を備えることを特徴とするものである。
【発明の効果】
【００１１】
本発明の表示装置によれば、ネットワーク等の通信回線を介して外部の関連装置（例えば、外部の情報機器）より取得した文字情報を表示することができる表示装置であって、前記関連装置の設置場所および選択言語に関する情報を取得する設置場所取得部と、前記設置場所取得部により取得した前記関連装置の設置場所に基づき、前記関連装置（例えば、前記関連装置に具備されるフォント提供部）より文字フォントを取得する文字フォント取得部と、前記関連装置（例えば、前記関連装置に具備される文字フォント提供部）より取得した文字フォントを記憶する文字フォント記憶部と、通信回線を介して前記関連装置より取得した文字情報を表示する際に、前記文字フォント記憶部に記憶された文字フォントを用いて文字情報を表示する表示制御部と、を備えることで、前記表示装置が、自ら外部の関連装置から取得する情報に基づいて使用される可能性が最も高い文字フォント（フォントデータ）を装置外から自動で取得することが可能なため、使用環境に応じて適切なフォントによる文字情報の表示を実現でき、正しいフォントが無いことにより文字が正確に表示されない表示異常を回避することができる。
【００１２】
また、本発明によれば、前記表示装置が情報機器（パーソナルコンピュータ）と接続され、前記設置場所取得部により前記表示装置に接続されている情報機器（例えば、パーソナルコンピュータ）の環境設定にて登録されている場所情報を取得し、前記場所情報を前記情報機器の設置場所とすることで、前記情報機器が使用される環境における適切な文字フォントを取得することができる。
【００１３】
また、本発明の表示装置によれば、通信回線を介して外部の関連装置より取得したブラウザ画面を表示することができる表示装置であって、前記ブラウザ画面の取得に用いたＵＲＬ情報を解析するＵＲＬ解析部と、前記ＵＲＬ解析部による解析結果に基づきＵＲＬより地域情報を抽出する地域情報抽出部と、前記地域情報抽出部により抽出された地域情報に基づき、前記関連装置（例えば、前記関連装置に具備されるフォント提供部）より文字フォントを取得する文字フォント取得部と、前記関連装置（例えば、前記関連装置に具備されるフォント提供部）より取得した文字フォントを記憶する文字フォント記憶部と、通信回線を介して前記関連装置より取得したブラウザ画面を表示する際に、前記文字フォント記憶部に記憶された文字フォントを用いてブラウザ画面を表示する表示制御部と、を備えることで、前記表示装置が、自ら外部の関連装置から取得する情報に基づいて使用される可能性が最も高い文字フォント（フォントデータ）を装置外から自動で取得することが可能なため、適切なフォントによる表示を実現でき、正しいフォントが無いことによる表示異常を回避することができる。
【図面の簡単な説明】
【００１４】
【図１】本発明の実施形態に係る表示装置として機能する画像形成装置を含むシステム構成をブロック図で示す説明図である。
【図２】前記画像形成装置の表示部に表示される国情報設定画面の表示例を示す説明図である。
【図３】前記画像形成装置が受信するＰＪＬ情報の一例を示す説明図である。
【図４】前記画像形成装置におけるブラウザ表示を行う処理の流れを示すフローチャートである。
【図５】図４に示すフローチャートに続く処理の流れを示すフローチャートである。
【図６】前記画像形成装置に接続されるＰＣから場所情報の取得する流れを示すフローチャートである。
【図７】前記画像形成装置に接続されるＰＣの動作を示すフローチャートである。
【発明を実施するための形態】
【００１５】
以下、本発明を実施するための形態について図面を参照して説明する。
図１は本発明を実施する形態の一例であって、本発明の実施形態に係る表示装置として機能する画像形成装置を含むシステム構成をブロック図で示す説明図、図２は前記画像形成装置の表示部に表示される国情報設定画面の表示例を示す説明図、図３は前記画像形成装置が受信するＰＪＬ情報の記述例を示す説明図である。
【００１６】
本実施形態は、図１に示すように、通信回線を介して外部の関連装置より取得した文字情報を表示することができる表示装置として機能する画像形成装置１であって、ブラウザ機能を備えた複合機として構成されるもので、本発明に係る表示装置の特徴的な構成を採用したものである。
【００１７】
画像形成装置１は、図１に示すように、通信回線として無線ＬＡＮ（ネットワーク）５を介して外部のＰＣ（情報機器として、例えば、クライアントの情報端末装置）２と接続され、さらに、インターネット６を介してWeb  Fontサーバ３と、Webサーバ４と接続されている。
【００１８】
画像形成装置１は、読取部１１、操作部１２、印刷部１３、制御部１４、記憶部１５、通信部１６を備えている。
【００１９】
読取部１１には、原稿をイメージとして光学的に読み取るイメージャ１１１と、その制御を行う制御回路１１２が設けられている。
【００２０】
操作部１２には、液晶等の平面形状の表示部１２１と、表示部１２１上に透明なタッチパネルからなる入力部１２２が設けられている。表示部１２１は、各種情報を表示するとともに、画面上のスイッチとして機能するボタン画像を表示して、入力部１２２からの入力が検出されることにより表示部１２１に表示されている画像が選択されたとして入力される。
【００２１】
印刷部１３は、普通紙に情報を印刷するためのものである。
制御部１４は、各部分を制御するためのもので、本実施形態においては、特にブラウザ表示部（表示制御部）１４１、ＵＲＬ解析部１４２、設置場所取得部１４３、拡張フォント取得部（文字フォント取得部）１４４を備えている。
【００２２】
記憶部１５には、予め使用が想定されたフォントが内蔵フォント１５１として記憶されるとともに、外部より取得した拡張フォント１５２が記憶される。また、記憶部１５には、環境設定に用いられる場所情報１５３、場所情報に対応する言語情報１５４が記憶される。
【００２３】
通信部１６は、外部機器とネットワークを介して情報の送受信を行うためのものであり、無線ＬＡＮ５やＬＡＮケーブルにて各種ネットに接続されている。
【００２４】
外部のＰＣ２は、表示部２１、入力部２２、制御部２４、記憶部２５、通信部２６を備えている。
【００２５】
制御部２４には、ＰＪＬ情報（プリンタジョブ言語情報）を生成する機能２４１を備えている。ＰＪＬ情報には地域情報２５１が含まれており、地域情報２５１は、図２に示すように、国情報設定画面２５２として表示される。そして、国情報設定画面２５２においてユーザにより選択された情報は、地域情報２５１として記憶部２５に記憶される。図３は、ＰＪＬ情報２５３の記述例である。
【００２６】
通信部２６は、上述したブラウザ機能付きの画像形成装置１の通信部１６と同様の機能を備え、無線ＬＡＮ５やＬＡＮケーブルにて各種ネットに接続されている。
【００２７】
次に、本実施形態の画像形成装置１において、外部のＰＣ２から情報を取得してブラウザ表示を行う場合の処理についてフローチャートに沿って説明する。
図４は本実施形態の画像形成装置におけるブラウザ表示を行う処理の流れを示すフローチャート、図５は図４に示すフローチャートに続く処理の流れを示すフローチャートである。
【００２８】
本実施形態の画像形成装置１において、外部のＰＣ２から情報を取得してブラウザ表示を行う場合は以下のように実行される。
図４に示すように、画像形成装置１においてブラウザ表示を行う処理が実行されると、まず、クライアントからブラウザ表示を行う要求があったか否かが判断される（ステップＳ１）。
【００２９】
ステップＳ１において、ブラウザ表示の指示が行われていないと判断された場合は、その他の制御の指示がされたか否かが判断される（ステップＳ２）。ここで、その他の制御の指示とは、印刷機能、スキャナ機能等を動作させる制御を意味している。
【００３０】
ステップＳ２において、その他の制御の指示がされたと判断された場合は、その他の制御が実行され（ステップＳ３）、ステップＳ１に戻る。一方、ステップＳ２において、その他の制御が指示されていないと判断された場合は、そのまま、ステップＳ１に戻る。
【００３１】
ステップＳ１において、ブラウザ表示の指示が行われたと判断された場合は、ブラウザ表示を行うＵＲＬを入力部より受け付け（ステップＳ４）、入力されたＵＲＬの内容をＵＲＬ解析部１４２にて解析する（ステップＳ５）。
【００３２】
ステップＳ５におけるＵＲＬの解析は、ＵＲＬ中のドメイン名部分から「.JP」等の場所を特定する情報を抽出する。
【００３３】
そして、ステップＳ５におけるＵＲＬの解析により場所情報を取得することができたか否かが判断される（ステップＳ６）。
【００３４】
ステップＳ６において、場所情報を取得することができなかったと判断された場合は、ＰＣから場所情報の取得が行われる（ステップＳ７）。ステップＳ７におけるＰＣからの場所情報の取得については後に説明する。
【００３５】
ステップＳ７において場所情報が取得されると、言語情報が取得されたか否かが判断される（ステップＳ８）。
【００３６】
ステップＳ８において、言語情報が取得されていないと判断された場合は、得られた場所情報を記憶部に記憶されている場所情報言語情報変換テーブルを用いて変換する（ステップＳ９）。
【００３７】
そして、ステップＳ９にて変換した場所情報に対応する言語のフォントが、記憶部の内蔵フォント１５１或いは、拡張フォント１５２に記憶されているか否かが判断される（ステップＳ１０）。
【００３８】
一方、ステップＳ８において、言語情報が取得されたと判断された場合は、そのままステップＳ１０に進む。
【００３９】
ステップＳ１０において、ステップＳ９にて変換した場所情報に対応する言語のフォントが、記憶部の内蔵フォント１５１或いは、拡張フォント１５２に記憶されていないと判断された場合は、外部よりフォントを取得するために、外部のフォントを記憶している装置（Web  Fontサーバ３）へ接続される（ステップＳ１１）。
【００４０】
なお、ここでは、インターネットを介してWeb  Fontサーバ３への接続について説明するが、外部のフォントを記憶している装置は、ＣＤ−ＲＯＭ、ＤＶＤ−ＲＯＭ等の外部媒体であっても良い。
【００４１】
そして、上述した処理にて得た国情報に対応するフォントの送信要求を行ない（ステップＳ１２）、フォントを受信する（ステップＳ１３）。
【００４２】
受信したフォントは、記憶部に拡張フォント１５２として記憶され（ステップＳ１４）、その後、Web  Fontサーバ３との切断を行う（ステップＳ１５）。そして、ステップＳ４にて入力されたＵＲＬに対するWebサーバ４に接続する（ステップＳ１６）。
【００４３】
一方、ステップＳ１０において、場所情報に対応する言語のフォントが、記憶部の内蔵フォント１５１或いは、拡張フォント１５２に記憶されていると判断された場合は、外部よりフォントを取得する必要が無いので、そのままステップＳ１６へ進む。
【００４４】
そして、Webサーバ４よりＨＴＭＬ等にて記述された画面情報を取得して（ステップＳ１７）、記憶部１５に記憶されている内蔵フォント１５１、拡張フォント１５２を用いて表示部に展開表示を行う（ステップＳ１８）。
【００４５】
このようにして、画像形成装置１において場所情報に応じた言語情報に基づくフォントによりブラウザ表示が行われる。これにより、画像形成装置１は、使用環境に応じたフォントを取得することができるので、適切なフォントによる文字情報の表示を実現でき、正しいフォントが無いことにより文字が正確に表示されない表示異常を回避することができる。
【００４６】
ここで、ステップＳ７におけるＰＣからの場所情報の取得について説明する。
図６は本実施形態の画像形成装置に接続されるＰＣから場所情報の取得する流れを示すフローチャートである。
【００４７】
ＰＣからの場所情報の取得が開始されると、図６に示すように、ブラウザ機能付きＭＦＰと同一構内のＰＣとが接続される（ステップＳ７−１）。接続方法に関しては、有線ＬＡＮ、無線ＬＡＮ、シリアル或いはパラレルによるケーブル等、特に方法には限定されない。
【００４８】
そして、ＰＣよりＰＪＬ情報を受信し（ステップＳ７−２）、受信後、ＰＣとの接続を切断する（ステップＳ７−３）。
【００４９】
そして、ステップＳ７−２にて受信したＰＪＬ情報の内容を解析し（ステップＳ７−４）、解析した内容に場所情報が含まれているか否か判断される（ステップＳ７−５）。
【００５０】
ステップＳ７−５において、解析した内容に場所情報が含まれていると判断された場合は、処理を終了する。
【００５１】
一方、ステップＳ７−５において、解析した内容に場所情報が含まれていないと判断された場合は、ステップＳ１６へ進む。
【００５２】
このようにして、場所情報が取得されていない場合は、ＰＣから場所情報を取得することができる。
【００５３】
次に、画像形成装置１に接続されるＰＣ側の処理についてフローチャートに沿って説明する。
図７は本実施形態の画像形成装置に接続されるＰＣの動作を示すフローチャートである。
【００５４】
図７に示すように、ＰＣにおいて画像形成装置１との接続が判断される（ステップＳ２１）。ステップＳ２１において、画像形成装置１と接続されていると判断された場合は、ＰＪＬ情報を生成し（ステップＳ２２）、画像形成装置１に対して送信を行なう（ステップＳ２３）。
【００５５】
一方、ステップＳ２１において、画像形成装置１と接続されていないと判断された場合は、ステップＳ２１に戻り、画像形成装置１との接続の確認が繰り返される。
【００５６】
そして、画像形成装置１との接続が切断されたか否かが判断される（ステップＳ２４）。ステップＳ２４において、画像形成装置１との接続が切断されている判断された場合は、処理を終了する。
【００５７】
一方、ステップＳ２４において、画像形成装置１との接続が切断されていないと判断された場合は、ステップＳ２４に戻り、画像形成装置１との接続の確認が繰り返される。
【００５８】
以上のように構成したので、本実施形態によれば、通信回線を介して外部の関連装置であるWeb  Fontサーバ３より取得した文字情報を表示することができる表示装置として機能する画像形成装置１であって、Web  Fontサーバ３の設置場所および選択言語に関する情報を取得する設置場所取得部１４３と、設置場所取得部１４３により取得したWeb  Fontサーバ３の設置場所に基づき、Web  Fontサーバ３より文字フォントを取得する拡張フォント取得部１４４と、Web  Fontサーバ３より取得した拡張フォント（文字フォント）１５２を記憶する文字フォント記憶部として機能する記憶部１５と、通信回線を介してWeb  Fontサーバ３より取得した文字情報を表示する際に、記憶部１５に記憶された拡張フォント１５２を用いて文字情報を表示するブラウザ表示部（表示制御部）１４１と、を備えることで、表示装置としての画像形成装置１が、自ら外部のWeb  Fontサーバ３から取得する情報に基づいて使用される可能性が最も高い文字フォント（フォントデータ）を装置外から自動で取得することが可能なため、使用環境に応じて適切なフォントによる文字情報の表示を実現でき、正しいフォントが無いことにより文字が正確に表示されない表示異常を回避することができる。
【００５９】
なお、本実施形態では、場所情報や言語情報の取得は、ＵＲＬ情報を解析して情報を取得するようにしているが、その他の方法として、機器の設置場所や送信されてくるデータに基づいて場所情報や言語情報を取得するようにしてもよい。
【００６０】
例えば、変形例１として、機器のＩＰアドレスからインターネットやネットワークに接続されている場所の情報に基づき設置されている国を判別するようにしてもよい。
【００６１】
また、変形例２として、機器から送信されてくる情報のなかのＨＴＭＬのヘッダ（文字コードセット指定）等から言語は判別するようにしてもよい。例えば、Ｓｈｉｆｔ−ＪＩＳ指定であれば日本語であることが判る。また、ＵＴＦ−８等であれば個別の文字コードからどの国の言語の文字であるかが判る。
【００６２】
また、本実施形態では、画像形成装置１とＰＣ２とを無線ＬＡＮ５を介して接続し、外部の関連機器としてWeb  Fontサーバ３、Webサーバ４をインターネット６を介してそれぞれ接続するようにしているが、本発明はこれに限定されるものではなく、その他の通信回線を利用して接続するものであってもよい。
【００６３】
以上のように、本発明は、上述した実施形態や変形例に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６４】
１  画像形成装置（表示装置）
３  Web  Fontサーバ（関連装置）
４  Webサーバ（関連装置）
６  インターネット（通信回線）
１４，２４  制御部
１５，２５  記憶部
１６，２６  通信部
１４１  ブラウザ表示部（表示制御部）
１４２  ＵＲＬ解析部
１４３  設置場所取得部
１４４  拡張フォント取得部
１５１  内蔵フォント（文字フォント）
１５２  拡張フォント（文字フォント）
１５３  場所情報
１５４  言語情報
２４１  ＰＪＬ情報生成機能
２５１  地域情報
２５２  国情報設定画面
２５３  ＰＪＬ情報（プリンタジョブ言語情報）
【図１】
2013239927.tif 000003
【図２】
2013239927.tif 000004
【図３】
2013239927.tif 000005
【図４】
2013239927.tif 000006
【図５】
2013239927.tif 000007
【図６】
2013239927.tif 000008
【図７】
2013239927.tif 000009